(57)【特許請求の範囲】
【請求項１】
底部のベース枠上に側面略門形に枠組みされた複数の支柱枠を組み立て立設せしめてなる装置機枠内の適宜の室温に保たれる発芽室に、多数の苗箱を多段状に収納する発芽装置に於いて、
ベース枠を、苗箱の幅間隔にて横数列に組み立て配されると共に発芽室に多段状に収納される苗箱の内、最下段の苗箱を載承する箱載せ桟を備える複数の桟付枠体と、この各桟付枠体の前部と後部を夫々横方向に接続連設する前後の接続枠体とから構成してなり、前記桟付枠体は前後部に、前記支柱枠の前後の柱を抜き差し自在に立設させる適宜高さを有する支持脚を垂直に固着備えた側面略架台状を成し、一方、前後の接続枠体は両側を含めた桟付枠体との接続部位に、該桟付枠体の前後の支持脚と互いに係脱可能に接続させる接続手段の一方を備え、該接続手段の他方を前記桟付枠体の支持脚に備えてなることを特徴とする発芽装置。
【請求項２】
請求項１記載の発芽装置において、
接続手段が、桟付枠体の前後の支持脚に上下開口状に備えた受け部と、この受け部に抜き差し自在に挿入し得る突出形状にて接続枠体の両側を含めた桟付枠体との接続部位に、その長手方向に対して直交状に備えた挿入部とから形成されていることを特徴とする発芽装置。
【請求項３】
請求項２記載の発芽装置において、
受け部が、桟付枠体の前後の支持脚に横並列状に備えられていることを特徴とする発芽装置。
【請求項４】
底部のベース枠上に側面略門形に枠組みされた複数の支柱枠を組み立て立設せしめてなる装置機枠内の適宜の室温に保たれる発芽室に、多数の苗箱を多段状に収納する発芽装置に於いて、
ベース枠を、苗箱の幅間隔にて横数列に組み立て配されると共に発芽室に多段状に収納される苗箱の内、最下段の苗箱を載承支持する箱載せ桟を備える複数の桟付枠体と、この各桟付枠体を前後架橋状に支持せしめた状態で該桟付枠体の前部と後部を横方向に夫々接続連設する前後の接続枠体とから構成してなり、前記桟付枠体は前後部に接続部を垂直に固着備え、一方、前後の接続枠体は両側を含めた桟付枠体の接続部位に、該桟付枠体の前後の接続部と前記支柱枠の前後の柱とを係脱可能に接続する適宜の高さを有する支持脚を固着備えてなることを特徴とする発芽装置。
【請求項５】
請求項４記載の発芽装置において、
接続枠体の支持脚に、増設用の接続枠体を係脱可能に接続する接続手段の一方を備え、該接続手段の他方を前記増設用の接続枠体に備えてなることを特徴とする発芽装置。
【請求項６】
請求項５記載の発芽装置において、
接続手段が、接続枠体の支持脚に設けた掛止口と、この掛止口に挿入掛止し得る突出形状にて増設用の接続枠体に設けた掛止爪とからなることを特徴とする発芽装置。
【発明の詳細な説明】
【０００１】
【発明が属する技術分野】
本発明は、発芽装置に係り、詳しくは保温・加湿用のヒーターを内在設置する底部のベース枠上に保温カバーを支持保形する側面略門形を呈する複数の支柱枠を抜き差し自在に組み立て立設されてベース枠上に形成した発芽室に、床土入れ、播種及び覆土等の散布が成された多数枚の苗箱を多段状に積み重ねた状態で収納する積重ね式、又は発芽室に備えられている棚に各苗箱を多段状に夫々載承させた状態で収納する棚式にて収納し、ヒーターにより発芽室を適宜の温度と湿度に保ちながら発芽（出芽とも称する）させる間易式の発芽装置に関する。
【０００２】
【従来の技術】
一般に、この種の発芽装置は温度と湿度を保つ加温、加湿器（通称、ヒーターと称されており、以後ヒーターと言う）を内在設置する底部のベース枠と、このベース枠上に苗箱を多段状で且つ縦・横数列に収納する発芽室を組み立て構設する側面略門形を呈する複数の支柱枠とから装置機枠を構設し、該装置機枠全体を覆うように保温カバー等を被せて、前記ヒーターにより発芽室を適宜の温度と湿度に保ちながら発芽させるようになっている。
ところで、この種の発芽装置を使用する期日は一般に２〜４日位とされている。つまり、床土入れ、播種及び覆土等の散布が成された苗箱を発芽室に収納してから２〜４日位で苗が発芽することから、発芽期が終了した後は次の年まで倉庫等に保管となる。
【０００３】
【発明が解決しようとする課題】
しかし乍ら、従来から知られているこの種の発芽装置は底部のベース枠と、このベース枠上に発芽室を組み立て形成する側面略門形を呈する複数の支柱枠等からなる装置機枠を適宜の断面形状を有する枠材（型材）を用いて溶接或いはボルト止め等により一体的に枠組み構設しているか、或いは図14乃至図15に例示したように、前記枠材を用いて底部のベース枠40のみを溶接或いはボルト41止め等により一体的に枠組み形成せしめて、このベース枠40上に発芽室Ｎを支持保形する前記支柱枠42等を分解可能に組み立て立設せしめて装置機枠A-30を枠組み構設してなる機枠構造であることから（例えば実公昭62−28858 号公報等を参照）、発芽が終了した後の保管時には装置機枠の大きさに相当する保管スペースが必要となるばかりか、当該大きさにて保管場所まで装置機枠を持ち運ばなければならなかった。
然るに、前者の発芽装置の場合においてはその装置機枠を溶接或いはボルト止め等により一体的に組み立て構設していることから、保管時には装置機枠全体の大きさに相当する保管スペースが必要となるばかりか、保管場所まで持ち運ばなければならない。一方、後者の発芽装置の場合においてはベース枠から支柱枠等を取り外し分解せしめた状態で保管することができることから、前者の場合と比べてその保管スペースは狭くて済むが、この後者の場合もベース枠自体は簡単に分解することができない。つまり、ボルト止めにより枠組み形成されているベース枠においてはその分解は可能ではあるが、その分解にはかなり手間が掛かるばかりか、分解すれば同じように組み立てが必要になる事ら、分解をせずに保管場所まで持ち運んでいるのが現状である等の取扱い性において不都合を有していた。
又、この種の発芽装置は必要に応じてその大きさ（サイズ）を横方向に適宜増設し得るようになっている。詳しくは、積重ねタイプにおいて例えば250 箱前後の苗箱を発芽室に収納し得る標準となる大きさの発芽装置の対して横方向に増設する増設用の枠材を用いてベース枠を横方向に増設せしめて該ベース枠上に新たに支柱枠を組み立て立設せしめる事で、380 〜1000箱前後の大量の苗箱を収納し得る発芽室を備えた発芽装置へと順次増設し得るようになっているものである。従って、前述した前者、後者の装置構造においては発芽装置の増設を含めたその取扱いにおいて多大の労力と手間が掛かるものであり、広い保管スペースが必要となる。
【０００４】
本発明はこの様な従来事情に鑑みてなされたもので、その目的とする処は、側面略門形の支柱枠のベース枠上からの分解は勿論、ベース枠を含めた装置機枠全体を簡単に分解し得、しかも、装置機枠を増設、その分解においても簡単に行い得るように改良した発芽装置を提供することにある。
【０００５】
【課題を達成するための手段】
課題を達成するために本発明は、底部のベース枠上に側面略門形に枠組みされた複数の支柱枠を組み立て立設されてなる装置機枠全体を包み込むように保温カバーを被せ、適宜の室温に保たれる装置機枠内の発芽室に、多数の苗箱を多段状に積み重ねた状態で収納する発芽装置に於いて、前記ベース枠を、苗箱の幅間隔にて横数列に組み立て配されると共に発芽室に多段状に収納される苗箱の内、最下段の苗箱を載承支持する箱載せ桟を備える複数の桟付枠体と、この桟付枠体の前部と後部を夫々横方向に接続連設する前後の接続枠体とから構成してなり、前記桟付枠体は多段状に積み重ねられた苗箱を前後数列に載承し得る程度の長さに形成すると共にその前後部に、前記支柱枠の前後の柱を抜き差し自在に立設させる適宜の高さを有する支持脚を垂直に固着備えた略架台状を成し、一方、前後の接続枠体は適宜の剛性を有する枠材を用いて苗箱の幅間隔にて組み立て配される各桟付枠体間に亘る程度の長さに形成すると共にその両側を含めた桟付枠体との接続部位に、該桟付枠体の前後の支持脚と互いに係脱可能に接続させる接続手段の一方を備え、該接続手段の他方を前記桟付枠体の支持脚に備えたことである。
又、上記接続枠体は標準の大きさの装置機枠のベース枠を組み立て構設する標準用と、該装置機枠のベース枠を側方に適宜増設する増設用とがあり、標準用の接続枠体は苗箱の幅間隔にて例えば横３列に組み立て配される３カ所の各桟付枠体間に亘る。つまり、中央に配される桟付枠体を跨いで両側の桟付枠体間に亘る長さに形成され、その両側を含めた中央の桟付枠体との接続部位に接続手段の一方を備え、一方、増設用の接続枠体はベース枠の側方に向けたその増設規模に応じた種々の長さに形成され、その両側又は両側を含めた中央の桟付枠体との接続部位に互いに係脱可能に接続させる接続手段の他方を備えてなることである。
又、苗箱の幅間隔にて横数列に組み立て配される各桟付枠体と、各桟付枠体の前後の支持脚を横方向に係脱可能に接続連設する前後の接続枠体との少なくとも対角線上に存在する接続コーナー部位に、該接続コーナーを直角に定形保持するコーナー接続部材を係脱架橋状に備えてなることである。
斯る技術的手段によれば、苗箱の幅間隔にて横数列に組み立て配される各桟付枠体の前後の支持脚を、前後の接続枠体にて夫々横方向に係脱可能に接続連設せしめた後に、各桟付枠体と前後の接続枠体との少なくとも対角線上に存在する接続コーナー部位にコーナー接続部材を係脱架橋状に備えることによりベース枠の組み立てが完了する。そして、完成したベース枠の各桟付枠体の前後の支持脚に支柱枠の前後の柱を差し込み接続せしめて各支柱枠をベース枠上に立設させることで、多数の苗箱を多段状に積み重ねた状態で収納する発芽室がベース枠上に形成された装置機枠を組み立て構設することができる。
一方、装置機枠の保管時には各桟付枠体の前後の支持脚から支柱枠の前後の柱を引き抜いてベース枠から支柱枠を取り外した後に、各桟付枠体の前後の支持脚に対する前後の接続枠体の係脱可能な接続状態を解放せしめることで、ベース枠は各桟付枠体と前後の接続枠体とに分解せしめられた分解保管形態となり、ベース枠を支持枠と共に分解せしめた状態で保管場所へと持ち運び、該保管場所に保管することができる。
【０００６】
又、上記接続手段が、桟付枠体の前後の支持脚に上下開口状に備えた受け部と、この受け部に抜き差し自在に挿入し得る突出形状にて接続枠体の両側を含めた桟付枠体との接続部位に、その長手方向に対して直交状に備えた挿入部とから形成されていることである。
斯る技術的手段によれば、前述したベース枠の組み立て時には苗箱の幅間隔にて横数列に組み立て配される各桟付枠体の支持脚の受け部に、該受け部との接続部位に設けた接続枠体の挿入部を挿入すると言った操作により、各桟付枠体の支持脚を接続枠体により横方向に接続連設せしめたベース枠を組み立て構設することができる。
一方、ベース枠の分解保管時には桟付枠体の支持脚の受け部に挿入接続されている接続枠体の挿入部を該受け部から引き抜くと言った操作により、各桟付枠体の支持脚に対する前後の接続枠体の接続状態を解除せしめてベース枠を各桟付枠体と前後の接続枠体とに分解することができる。
【０００７】
又、接続枠体の挿入部を抜き差し自在に挿入接続する上記受け部が、桟付枠体の前後の支持脚の表面に横並列状に備えられていることである。
斯る技術的手段によれば、前述した組み立て仕法にて分解可能に組み立て構設された標準の大きさの装置機枠のベース枠をその側方に増設する場合には該ベース枠の両側に組み立て配されている桟付枠体の内、その一側の桟付枠体の前後の支持脚に横並列に備えれている他方の受け部（開いている受け部）に対して発芽装置の増設規模に応じた長さに形成されている増設用の接続枠体の一側挿入部を挿入接続すると共に、該接続枠体の他側挿入部を新たに苗箱の幅間隔にて組み立て配される桟付枠体の前後の支持脚に備えられている受け部に挿入接続せしめる組み立て仕法を行うことで、標準の大きさの装置機枠のベース枠を増設規模に応じた幅にてその側方に組み立て増設することができる。つまり、発芽装置の増設規模に応じた大きさのベース枠を分解可能に組み立て構設することができる。
【０００８】
更に、底部のベース枠上に側面略門形に枠組みされた複数の支柱枠を組み立て立設されてなる装置機枠全体を包み込むように保温カバーを被せ、適宜の室温に保たれる装置機枠内の発芽室に、多数の苗箱を多段状に積み重ねた状態で収納する発芽装置に於いて、前記ベース枠を、苗箱の幅間隔にて横数列に組み立て配されると共に多段状に積み重ねられて発芽室に収納される苗箱の内、最下段の苗箱を載承支持する箱載せ桟を備える複数の桟付枠体と、この桟付枠体の前部と後部を夫々横方向に接続連設せしめて該桟付枠体を前後架橋状に支持する前後の接続枠体とから構成してなり、前記桟付枠体は多段状に積み重ねられた苗箱群を１乃至前後数列に載承し得る程度の長さに形成すると共にその前後部に接続部を垂直に固着備え、一方、前後の接続枠体は苗箱の幅間隔にて配される各桟付枠体の前後の接続部を横一連に接続支持し得る程度の長さに形成すると共にその両側を含めた桟付枠体との接続部位に、該桟付枠体の前後の接続部と前記支柱枠の前後の柱とを係脱可能に接続する適宜の高さを有する支持脚を垂直に固着備えてなることである。
又、苗箱の幅間隔にて横数列に組み立て配される各桟付枠体と、各桟付枠体の前後の接続部を横一連に接続支持する前後の接続枠体との少なくとも対角線上に存在する接続コーナー部位に、該接続コーナーを直角に定形保持するコーナー接続部材を係脱架橋状に備えてなることである。
斯る技術的手段によれば、苗箱の幅間隔にて横数列に組み立て配される各桟付枠体の前後の接続部を、前後の接続枠体の各支持脚に係脱可能に夫々差し込み接続せしめて、各桟付枠体を前後の接続枠体間に亘り前後架橋状に夫々連設支持させた後に、各桟付枠体と前後の接続枠体との少なくとも対角線上に存在する接続コーナー部位にコーナー接続部材を係脱架橋状に備えるることによりベース枠の組み立てが完了する。そして、完成したベース枠の前後の接続枠体の支持脚に支柱枠の前後の柱を差し込み接続せしめて各支柱枠をベース枠上に立設させることで、多数の苗箱を多段状に積み重ねた状態で収納する発芽室がベース枠上に形成された装置機枠を組み立て構設することができる。
一方、装置機枠の保管時には前後接続枠体の支持脚から支柱枠の前後の柱を引き抜いてベース枠から支柱枠を取り外した後に、各桟付枠体の前後の接続部を前後の接続枠体の支持脚から引き抜いてその接続状態を解除せしめることで、ベース枠は各桟付枠体と前後の接続枠体とに分解せしめられた分解保管形態となり、ベース枠を支持枠と共に分解せしめた状態で保管場所へと持ち運び、該保管場所に保管することができる。
【０００９】
更に、上記接続枠体の支持脚に、増設用の接続枠体を係脱可能に接続する接続手段の一方を備え、該接続手段の他方を前記増設用の接続枠体に備えてなることである。
斯る技術的手段によれば、前述した組み立て仕法にて分解可能に組み立て構設された標準の大きさの装置機枠のベース枠をその側方に増設する場合には該ベース枠の前後に組み立てられている前後の接続枠体の支持脚に備えられている一方の接続手段に対して発芽装置の増設規模に応じた長さに形成されている増設用の接続枠体に備えれている他方の接続手段を係脱可能に接続せしめると共に、増設せしめた前後の接続枠体の支持脚間に亘り新たに苗箱の幅間隔にて桟付枠体を前後架橋状に連設支持させる組み立て仕法を行うことで、標準の大きさの装置機枠のベース枠を増設規模に応じた大きさにてその側方に組み立て増設することができる。つまり、発芽装置の増設規模に応じた大きさのベース枠を分解可能に組み立て構設することができる。
【００１０】
更に、接続枠体の支持脚に、増設用の接続枠体を係脱可能に接続する上記接続手段が、接続枠体の支持脚に設けた掛止口と、この掛止口に挿入掛止し得る突出形状にて増設用の接続枠体に設けた掛止爪とからなることである。
斯る技術的手段によれば、前述したベース枠の組み立て増設時には該ベース枠の前後に組み立てられている前後の接続枠体の支持脚に設けた掛止口に対して、発芽装置の増設規模に応じた長さに形成されている増設用の接続枠体に設けた掛止爪を挿入せしめて引っ掛けると言った操作により、増設用の接続枠体を前後に起立配設せしめてその増設せしめた前後の接続枠体の支持脚間に亘り新たに苗箱の幅間隔にて組み立て配される桟付枠体を前後架橋状に接続支持させることで、標準の大きさの装置機枠のベース枠を増設規模に応じた幅にてその側方に組み立て増設することができる。
一方、ベース枠の分解保管時には増設した桟付枠体を前後の増設用の接続枠体の支持脚から引き抜き取り外した後に、前後の増設用の接続枠体の掛止爪を前後の接続枠体の支持脚の掛止口から係脱せしめると言った操作により、前後の接続枠体の支持脚に対する増設用の接続枠体の接続状態を解除せしめることで、増設用を含めたベース枠全体を各桟付枠体と前後の接続枠体とに分解することができる。
【００１１】
【発明の実施の形態】
本発明の実施の具体例を図面に基づいて説明する。
図１乃至図７は請求項１乃至３に係る本発明発芽装置の実施の一例を示し、斯る発芽装置は多数枚の苗箱Ｍ…を多段状に積み重ねた状態で発芽室Ｎに収納する積重ね式であり、底部のベース枠１と側面略門形の支持枠２とからなる装置機枠Ａを保温マットＢ上に組み立て構設せしめた後に、該装置機枠Ａ全体を覆うように内面に反射用の金属泊を貼着すると共にファスナー等により前面部を開閉可能とする保温カバーＣを被せてなり、支持枠２によりベース枠１上に支持保形された状態で形成された発芽室Ｎへの苗箱Ｍの出し入れを保温カバーＣ前面部の開閉により行う周知の構造を成し、多数枚の苗箱Ｍ…を多段状に積み重ねた状態で且つ前後数列にて発芽室Ｎに収納し得るようになっている。
尚、本実施例では多数枚の苗箱Ｍ…を多段状に積み重ねた状態で発芽室Ｎに収納する積重ね式の発芽装置について説明するが、苗箱Ｍ…を積み重ねずに発芽室Ｎに直接又は付属品として着脱可能に備えられる各棚枠に苗箱を夫々載承させた状態で多段状に収納する棚式の発芽装置においても対象とする。つまり、積重ね式と棚式とは底部のベース枠１上に組み立て立設する側面略門形の支持枠２に対して棚枠を直接又は付属品として備えるか否かの違いだけで、ベース枠１自体の構成は基本的に同じであるからである。
【００１２】
ベース枠１は、装置機枠Ａの土台となるもので、内部には発芽室Ｎの室温（温度・湿度）を発芽に適した最適な状態に保つヒーターＤが内在設置されるようになっており、苗箱Ｍの幅間隔Ｌにて横数列（図では発芽装置の標準の大きさである横３列）に組み立て配されると共に発芽室Ｎに多段状に積み重ねられた状態で収納される苗箱Ｍ…群の内、最下段の苗箱Ｍを載承支持する箱載せ桟３を備える桟付枠体1-1 と、この桟付枠体1-1 の前部と後部を横方向に一連に接続連設する前後の接続枠体1-2 とから構成され、横３列に組み立て配される各桟付枠体1-1 と前後の接続枠体1-2 との接続状態を適宜分解し得るように該各桟付枠体1-1 と前後の接続枠体1-2 とを形成してなる。
【００１３】
桟付枠体1-1 は、長さ方向両面に箱載せ桟３を備える中間用と、一側面のみに箱載せ桟３を備えるサイド用との２種類があり、中間用の桟付枠体1-1 （1-10）は鉄板等の剛性板材を用いて上側に箱載せ桟３を、その下側に搬入・搬出台車の走行レール桟４を前後方向に平行に折り曲げ備える２枚の加工枠材５を、夫々の箱載せ桟３とレール桟４とを相反する方向に向けた状態で且つ適宜の間隔をおいた背中合わせの状態でその前後に備える支持脚６に溶接等により固着支持させてなる側面略架台状を成し、その前後の支持脚６間における等間隔をおいた加工枠材５間の前後２カ所には同両者間を平行に定形保持すると共に桟付枠体1-1 全体の剛性力を図る断面略コの字形の補強材７を溶接等により固着介在させてなる。補強材７は加工枠材５の加工高さに相当する高さで断面略コの字形等の適宜の断面形状を呈する枠材（剛性型材）からなる。
一方、サイド用の桟付枠体1-1 （1-11）は前述した構成の１枚の加工枠材５と同じ長さに形成した断面略Ｌ字形の横架枠材８とを適宜の間隔をおいて背中合わせの状態でその前後を支持脚６に固着支持させてなる側面略架台状を成し、その前後の支持脚６間における等間隔をおいた加工枠材５と横架枠材８との間の前後２カ所には同じく同両者間を平行に定形保持すると共に桟付枠体1-1 全体の剛性力を図る断面略コの字形の補強材９を溶接等により固着備えてなる。尚、このサイド用の桟付枠体1-1 における補強材９は前後の支持脚６と同じ程度の高さ（長さ）に形成して、前後の支持脚６の下端間に亘り固着備える下部枠材10に対してその下端を固着連結してなる。
【００１４】
支持脚６は、断面略コの字形等の適宜の断面形状を呈する枠材（剛性型材）を用いて所要の長さ（高さ）に形成し、その開口上端を前述した加工枠材５の上辺縁に略面一状に合わせた状態で前述した中間用においては両加工枠材５の前後の間に、そしてサイド用においては加工枠材５と横架枠材８との前後の間に夫々介在させた状態で溶接等により固着備えてなる。そして、この前後の支持脚６の表面には接続枠体1-2 の後述する挿入部11を抜き差し自在に挿入する受け部12を備えてなる。
又、前後の支持脚６の断面開口寸法（開口内面寸法）は同じく断面形状が略コの字形を呈する支持枠２の前後の柱2-1 が抜き差し自在に挿入立設されるように該柱2-1 の断面開口寸法（開口外面寸法）と同じ程度の開口寸法形状として、柱2-1 の下端側がガタ付きがない状態で支持脚６の開口上端に挿入されるようにしてなる（図３の拡大図参照）。
【００１５】
受け部12は、前後の接続枠体1-2 の挿入部11を抜き差し自在に挿入し得る開口形状にて桟付枠体1-1 の支持脚６表面に上下開口状に固着備えて、上側用と下側用との２種類からなる前後の接続枠体1-2 の挿入部11がその上下開口から夫々挿入連結されるように形成してなる。又、この受け部12は支持脚６の表面に横並列状に連設させた開口形状にて開口されていて、同じく横並列状に連設させた突出形状（突出幅）にて突出備えられる挿入部11（11-1）が挿入連結されたり（図３の拡大図参照）、或いはその一方側のみに挿入される突出形状（突出幅）にて突出備えられる挿入部11（11-2）が挿入連結されるように形成してなる。つまり、図６乃至図７に示したように、標準の大きさに構設される装置機枠Ａを側方に増設する場合、後述する増設用の接続枠体1-21の挿入部11がその並列する受け部12の他方側（図７において右側）に挿入連結されるようになっている。
【００１６】
前後の接続枠体1-2 は、上側用と下側用との２種類があり、苗箱Ｍの幅間隔Ｌにて横３列に組み立て配される各桟付枠体1-1 の前後において隣り合う該桟付枠体1-1 の支持脚６を横方向に一連に着脱可能に接続する役目を成すもので、断面略コの字形を呈する枠材を横３列に組み立て配される桟付枠体1-1 の内、両サイドの桟付枠体1-1 （1-11）間に亘る程度の長さに形成、つまり、標準の大きさの装置機枠Ａのベース枠１を構設する長さに形成して、その両端と中央部位とにその長さ方向に対して直交状に突出させた状態で挿入部11を溶接等により固着備えてなる。
【００１７】
尚、横３列に組み立て配される桟付枠体1-10，1-11の内、両サイドの桟付枠体1-11間に亘る程度の長さに形成された前述の接続枠体1-2 は基準の大きさに構設される装置機枠Ａ全体の横幅Ｌ1 に相当する大きさにて該装置機枠Ａの側方にベース枠１を増設する場合の増設用としても兼用されるものである。又、前後の接続枠体1-2 には苗箱Ｍの幅間隔Ｌにて隣り合うサイドの桟付枠体1-11と中央の桟付枠体1-10との間に亘る程度の長さに形成して、その長さ方向に対して直交状に突出させた状態でその両側のみに挿入部11を固着備えてなるハーフタイプの上側用と下側用との対を成す増設用の接続枠体1-20があり、この接続枠体1-20を用いることで、基準の大きさに構設された装置機枠Ａ全体の横幅Ｌ1 に対してその半分程度の幅Ｌ2 に相当する大きさ（規模）にて該装置機枠Ａを構設するベース枠１を側方に増設できるようになっている（図６参照）。
【００１８】
挿入部11は、横３列に組み立て配される各桟付枠体1-1 の支持脚６表面の受け部12に対する抜き差し自在な挿入連結により、前後において隣り合う各桟付枠体1-1 の支持脚６間に前後の接続枠体1-2 を着脱可能に接続添設せしめる役目を成すもので、接続枠体1-2 の両端とその中央部位にその長さ方向に対して直交状に溶接等により固着備える。又、接続枠体1-2 の両端に備えた挿入部11は支持脚６表面の横並列状に開口する受け部12の一方側（図７において左側）のみに挿入される突出形状（突出幅）に形成する一方で、接続枠体1-2 の中央部位に備えた挿入部11（11-1）においては受け部12にその開口幅にて挿入される突出形状（開口幅）にて形成してなる。
【００１９】
図中13は、各桟付枠体1-1 と前後の接続枠体1-2 との各接続コーナー内、少なくとも平面から見て対角線上に存在する接続コーナー部位に係脱架橋状に備えたコーナー接続部材であり（図３乃至図４参照）、このコーナ接続部材13は適宜の長さ形成した金属製棒体の両端に同一方向に折り曲げた係止部13-1を備えてなり、この両端の係止部13-1を前記桟付枠体1-2 を構成する加工枠材５の下端折曲縁辺14と前後の前後の接続枠体1-2 の下端折曲縁辺15とに夫々開口した係止孔16，17に挿入連結せしめた状態でベース枠１の前記接続コーナー部位にコーナー接続部材13を係脱架橋状に取り付けることで、該接続コーナー部位が正規の直角な角度にて定形保持されるようにしてなる。つまり、各桟付枠体1-1 と前後の接続枠体1-2 との接続コーナーに捩じれ等の変形を起こさせることなく、苗箱Ｍの幅間隔Ｌにて組み立て配されて隣り合う各桟付枠体1-1 を前後方向に平行に定形保持せしめて、多段状に積み重ねられた苗箱Ｍ…群を台車を用いて隣り合う桟付枠体  1-1 （桟付枠体1-10、1-11）の箱載せ桟３上に搬入載承せしめる際、苗箱Ｍが箱載せ桟３以外の他の部分に引っ掛かったりすることなく、箱載せ桟３上に速かに載承されるようにベース枠１の対角線上に存在する桟付枠体1-1 と前後の接続枠体1-2 との接続コーナーを直角な状態でコーナー接続部材13にて連結せしめて定形保持し得るようにしてなる。
【００２０】
尚、コーナー接続部材13は各桟付枠体1-1 と前後の接続枠体1-2 との全ての接続コーナー部位に備えるもことも自由であるが、少なくとも対角線上に存在する接続コーナー部位の備えることで、他の接続コーナー部位が捩じれ等の変形を起こしていてもその変形は修正されるからである。
【００２１】
而して、以上の如く構成した本実施例発芽装置の装置機枠Ａを構設するベース枠１によれば、横３列に組み立て配される各桟付枠体1-1 の前後の支持脚６表面の受け部12に対してその上下開口（図４の状態）から前後の接続枠体1-2 の両側並びに中央の挿入部11を夫々挿入連結することで、苗箱Ｍの幅間隔Ｌにて横３列に組み立て配される各桟付枠体1-1 を前後の接続枠体1-2 にて横方向に着脱可能に接続せしめた分解が可能な枠組み構造形態にて組み立てることができる（図３参照）。それにより、発芽が終了した後の保管時には保温カバーＣを取り外し、そして、各桟付枠体1-1 の前後の支持脚６から支持枠２の前後の柱2-1 を抜き外して該支持枠２をベース枠１上から取り除いた後に、各桟付枠体1-1 の支持脚６から前後の接続枠体1-2 を取り外すことで、ベース枠１を支持枠２と共に分解せしめた状態で保管場所へと持ち運び、保管することができる。
【００２２】
又、前述した組み立て仕法により分解可能に組み立て構設された標準の大きさの装置機枠Ａを側方に増設する場合にはベース枠１の両側に組み立て配されているサイド用の桟付枠体1-1 （1-11）の内、その一側の桟付枠体1-1 に変えてその中間に組み立て配されている両面に箱載せ桟３を備える中間用の桟付枠体1-1   （1-10）を用いて、当該桟付枠体1-1 の支持脚６表面の開いている他方側の受け部12に対して装置機枠Ａの増設規模に応じた長さに形成されていた例えば図６に例示したように、増設用（ハーフタイプ）の接続枠体1-20の一端挿入部11を挿入連結すると共に、該接続枠体1-21の他端挿入部11を新たに苗箱Ｍの幅間隔Ｌにて組み立て配されるサイドの桟付枠体1-1 （1-11）の支持脚６表面の受け部12に対して挿入連結すると言ったこれらの組み立て仕法を行うことで、標準の大きさの装置機枠Ａを側方に組み立て増設することができる。つまり、発芽装置の増設規模に応じた大きさの装置機枠A-1 のベース枠100 を分解が可能な枠組み構成形態にて組み立てることができる。
【００２３】
因みに、ベース枠１上に立設される支持枠２は前後の柱2-1 と、この前後の柱2-1 の上部間に架橋状に架け渡される屋根枠2-2 とからなり、屋根枠2-2 は柱  2-1 の上端に対して周知の如く分解可能な側面略門形に枠組みされるようになっている。又、この支持枠２の屋根枠2-2 間に架け渡される屋根桟17も同じく屋根枠2-2 に対して分解可能に取り付けられて、屋根枠2-2 を横方向に連設するようになっている。
【００２４】
図８乃至図13は請求項４乃至６に係る本発明発芽装置の実施の一例を示し、斯る実施例においても発芽装置は多数枚の苗箱Ｍ…を多段状に積み重ねた状態で発芽室Ｎに収納する積重ね式であり、分解可能な枠組み構成形態に組み立て構設するベース枠20以外の構成部分においては前述した実施例詳述の発芽装置と基本的に同じある事から同じ符号を用いることでその説明は省略する。
【００２５】
ベース枠20は、苗箱Ｍの幅間隔Ｌにて横３列に組み立て配されると共に発芽室に多段状に積み重ねられた状態で収納される苗箱Ｍ…群の内、最下段の苗箱Ｍを載承支持する箱載せ桟21を備える桟付枠体20-1と、この桟付枠体20-1を前後架橋状に支持せしめた状態でその前部と後部を夫々横方向に接続連設する前後の接続枠体20-2とから構成され、横３列に組み立て配される各桟付枠体20-1と前後の接続枠体20-2との接続状態を適宜分解し得るように該各桟付枠体20-1と前後の接続枠体20-2とを形成してなる。
【００２６】
桟付枠体20-1は、長さ方向両面に箱載せ桟３を備える中間用と、一側面のみに箱載せ桟３を備えるサイド用との２種類があり、中間用の桟付枠体20-1（20-10 ）は前述した実施例詳述の如く、鉄板等の剛性板材を用いて上側に箱載せ桟21を、その下側に搬入・搬出台車のレール桟22を折り曲げ備える２枚の加工枠材23を、夫々の箱載せ桟21とレール桟22とを相反する方向に向けた状態で且つ適宜の間隔をおいた背中合わせの状態でその前後に備える接続部24に溶接等により固着支持させてなる。そして、この前後の接続部24間における等間隔をおいた加工枠材23間の前後２カ所には前述した実施例詳述の如く、両者間を平行に定形保持すると共に桟付枠体20-1全体の剛性力を図る断面略コの字形の補強材25を溶接等により固着介在してなる。
一方、サイド用の桟付枠体20-1（20-11 ）は、前述した構成の１枚の加工枠材23と同じ長さに形成した横架枠材26とを適宜の間隔をおいて背中合わせの状態でその前後に備える接続部24に固着支持させてなる。そして、前後の支持脚24間における等間隔をおいた加工枠材23と横架枠材26との間の前後２カ所には同じく同両者間を平行に定形保持すると共に桟付枠体1-1 全体の剛性力を図る断面略コの字形の補強材27を溶接等により固着備えてなる。
【００２７】
接続部24は、断面略コの字形等の適宜の断面形状を呈する枠材（剛性型材）を用いて加工枠材23の幅（高さ）に相当する長さ（高さ）に形成し、前述した中間用においては両加工枠材23の前後の間に、そしてサイド用においては加工枠材23と横架枠材26との前後の間に夫々介在させた状態で溶接等により固着備えてなる。
【００２８】
前後の接続枠体20-2は、苗箱Ｍの幅間隔Ｌにて横３列に組み立て配される各桟付枠体20-1を前後架橋状に支持すると共にその前後において隣り合う各桟付枠体20-1の接続部21を横方向に着脱可能に接続する役目を成すもので、横３列に組み立て配される桟付枠体20-1の内、両サイドの桟付枠体20-1（20-11 ）間に亘る程度の長さに形成、つまり、標準の大きさの装置機枠A-20のベース枠20を構設する長さに形成した上側の断面略コの字形を呈する枠材28（型材）と下側の断面略Ｌ字形を呈する枠材29とを適宜の間隔をおいてその両側と中央部位に固着備える支持脚30に連結支持させてなる。
【００２９】
尚、両側と中央部位に支持脚30を固着備える前述の接続枠体20-2は基準の大きさとなる装置機枠A-20のベース枠20を組み立て構設する場合に用いられる一方で、該装置機枠A-20全体の横幅Ｌ3 に相当する大きさにて該装置機枠A-20をその側方に増設する場合の増設用としても兼用されるものである。又、前後の接続枠体  20-2は苗箱Ｍの幅間隔Ｌにて隣り合う桟付枠体20-2（桟付枠体20-10 と20-11 ）間に亘る程度の長に形成した上側の枠材28-1と下側の枠材29-1との一側を支持脚29に連結支持させ、その他側を支持枠31に連結支持されてなるハーフタイプの増設用の接続枠体20-20 があり、この増設用の接続枠体20-20 を用いることで、基準の大きさに組み立て構設された装置機枠A-20のベース枠20の側方に、その全体横幅Ｌ3 の半分程度の幅Ｌ4 に相当する大きさ（規模）にて該装置機枠A-20を構設するベース枠200 を増設できるようになっている（図12参照）。
【００３０】
支持脚30は、断面略コの字形等の適宜の断面形状を呈する枠材（剛性型材）を用いて所要の長さ（高さ）に形成し、その開口下端を前述した下側の枠材29に溶接等により固着連結さると共に、この下側の枠材29から上方に適宜の間隔をおいた部位に前述した上側の枠材28を固着連結させて、この上下の枠材28，29の両側と中央部位（中間用の桟付枠体20-1を接続支持させる接続部位）を連結保持させてなる。
又、この支持脚30の断面内面寸法は同じく断面形状が略コの字形を呈する支持枠２の柱2-1 がガタ付きがない状態で抜き差し自在に挿入接続されるように該柱2-1 の断面外面寸法と同じ程度の寸法形状とする一方で、その断面外面寸法は桟付枠体20-1の接続部24が抜き差し自在に嵌入接続されるように該接続部24の断面内面寸法と同じ程度の寸法形状として、接続部24がガタ付きがない状態で支持脚29の上端側外面に抜き差し自在に挿入接続されるようにしてなる。つまり、桟付枠体20-1の接続部24と支持枠２の柱2-1 との双方が支持脚30の上端側内外面に夫々組み立て分解可能に接続されるように形成してなる（図10参照）。
【００３１】
又、前述した増設用の接続枠体20-20 の支持枠31と、前述したように増設用としても兼用される標準用の接続枠体20-2の一側又は両側の支持脚30には互いに係脱可能に接続する掛止口32と掛止爪33からなる接続手段が備えられており、この掛止口32と掛止爪33との係脱可能な接続により、基準の大きさに組み立て構設された装置機枠A-20の側方に、該装置機枠A-20の増設規模に応じた適宜の大きさのベース枠200 を増設することができるようになっている（図12の状態）。
【００３２】
掛止口32は、標準用の接続枠体20-2の支持脚30に、縦長開口形状にてその側面上下２カ所に開口備えられ、一方、掛止爪33は、増設用の接続枠体20-20 の支持枠31に、前記掛止口31に挿入させた後に落とし込む操作を行うことで該掛止口32の開口縁に掛止される例えば略鍵状を成す突出形態にてその上下２カ所に突設備えてなるものである（図12の拡大図参照）。
【００３３】
図中34は、各桟付枠体20-1と前後の接続枠体20-2との各接続コーナー内、少なくとも平面から見て対角線上に存在する接続コーナー部位における桟付枠体20-1を形成する加工枠体23の下端折曲縁辺23-1と接続枠体20-2を形成する上側枠体27の折曲辺27-10 とに亘り係脱架橋状に備えたコーナー接続部材であり（図10参照）、このコーナ接続部材34は前述した実施例詳述と同様に形成してなり、その両端に備えた係止部34-1を前記下端折曲縁辺23-1と折曲辺27-10 とに夫々開口備えた係止孔35，36に挿入連結せしめた状態で前記接続コーナー部位にコーナー接続部材34を係脱架橋状に取り付けることで、該接続コーナー部位が正規の直角な角度にて定形保持されるようにしてなる。つまり、前述した実施例詳述と同様に多段状に積み重ねられた苗箱Ｍ…群を台車を用いて隣り合う桟付枠体20-1の箱載せ桟21上に搬入載承せしめる際、最下段の苗箱Ｍが箱載せ桟21以外の他の部分に引っ掛かったりすることなく、箱載せ桟21上に速かに載承されるようにベース枠20の対角線上に存在する桟付枠体20-1と前後の接続枠体20-2との接続コーナーを直角な状態で連結せしめて定形保持し得るようにしてなる。
【００３４】
而して、以上の如く構成した本実施例発芽装置の装置機枠A-20を構設するベース枠20によれば、各桟付枠体20-1の前後の接続部24を前後の接続枠体20-2の両端並びに中央に固着備えた各支持脚30に夫々嵌入接続させることで（図10乃至図11参照）、苗箱Ｍの幅間隔Ｌにて横３列に組み立て配される各桟付枠体20-1を前後架橋状の支持せしめた状態で且つ横方向一連に連設せしめた状態で前後の接続枠体20-2に着脱可能に接続支持せしめた分解が可能な枠組み構造形態にて組み立てることができる（図８乃至図10参照）。それにより、発芽が終了した後の保管時には保温カバーＣを取り外し、そして、前後の接続枠体20-2の各支持脚29から支持枠２の前後の柱2-1 を抜き外して該支持枠２をベース枠20上から取り除いた後に、同じく各支持脚30から各桟付枠体2-1 の接続部24を抜き外して前後の接続枠体20-2から各桟付枠体20-1を取り外すことで、ベース枠20を支持枠２と共に分解せしめた状態で保管場所へと持ち運び、保管することができる。
【００３５】
又、前述した組み立て仕法により分解可能に組み立て構設された標準の大きさの装置機枠A-20を側方に増設する場合にはベース枠20の両側に前後の接続枠体  20-2にて連結保持されて組み立て配されているサイド用の桟付枠体20-11 の内、その一側の桟付枠体20-11 に変えてその中間に組み立て配されている両面に箱載せ桟21を備える中間用の桟付枠体20-10 を用いて、当該桟付枠体20-10 の前後の接続部24を前後の接続枠体20-2の支持脚30に接続保持させると共に該支持脚30の掛止口32に対して装置機枠A-20の増設規模に応じた長さに形成されている例えば図12に例示したように、増設用（ハーフタイプ）の接続枠体20-20 の支持枠31の掛止爪33を挿入掛止させて前後の接続枠体20-2を、その側方に増設用の接続枠体20-20 の長さ分、連設延長すると共に、該増設用の接続枠体20-20 の支持脚30に新たに苗箱Ｍの幅間隔Ｌにて組み立て配されるサイドの桟付枠体20-1（20-11 ）の前後の接続部24を嵌入接続すると言ったこれらの組み立て仕法を行うことで、基準の大きさの装置機枠A-20を側方に組み立て増設することができる。つまり、発芽装置の増設規模に応じた大きさの装置機枠A-20のベース枠200 を分解可能な枠組み構成形態にて組み立てることができるものである（図12乃至図13参照）。
【００３６】
【発明の効果】
本発明の発芽装置は叙上の如く構成してなるから、下記の作用効果を奏する。
▲１▼．請求項１によれば、苗箱の幅間隔にて横数列に組み立て配される各桟付枠体の前後の支持脚を、前後の接続枠体にて夫々横方向に係脱可能に接続連設せしめることにより、装置機枠のベース枠を分解か可能な状態にて組み立てることができることができることから、装置機枠の保管時には各桟付枠体の支持脚から支柱枠の前後の柱を引き抜いてベース枠から支柱枠を取り外した後に、各桟付枠体の支持脚に対する前後の接続枠体の係脱可能な接続状態を解放せしめることで、ベース枠は各桟付枠体と前後の接続枠体とに分解せしめた分解保管形態となる。従って、ベース枠を支持枠と共に分解せしめた状態で保管場所へと持ち運び、該保管場所に保管することができることから、その持ち運び、保管等における取扱性の向上が期待できる。
【００３７】
▲２▼．請求項２によれば、前述したベース枠の組み立て時には苗箱の幅間隔にて横数列に組み立て配される各桟付枠体の支持脚の接続部に、該接続部との接続部位に設けた接続枠体の挿入部を挿入すると言った操作により、各桟付枠体の支持脚を接続枠体により横方向に係脱可能に接続連設せしめた状態でベース枠を組み立てることができることから、前述したように装置機枠の保管時には桟付枠体の支持脚の接続部に挿入接続されている接続枠体の挿入部を該接続部から引き抜くと言った操作により、各桟付枠体の支持脚に対する前後の接続枠体の接続状態を解除せしめてベース枠を各桟付枠体と前後の接続枠体とに分解することができる。従って、工具等を一切使用することなく、ベース枠の組み立てとその分解が可能となり、その取扱性の向上がより一層期待できる。
【００３８】
▲３▼．請求項３によれば、前述した組み立て仕法にて分解可能に組み立て構設された標準の大きさの装置機枠のベース枠をその側方に増設する場合には該ベース枠一側の桟付枠体の支持脚表面に横並列状に備えれている他方の接続部（開いている接続部）に対して発芽装置の増設規模に応じた長さに形成されている増設用の接続枠体の一側挿入部を挿入接続すると共に、該接続枠体の他側挿入部を新たに苗箱の幅間隔にて組み立て配される桟付枠体の支持脚表面の接続部に挿入接続せしめる組み立て仕法を行うことで、標準の大きさの装置機枠を増設規模に応じた大きさにてその側方に組み立て増設することができる。つまり、発芽装置の増設規模に応じた大きさのベース枠を分解が可能な状態にて組み立てることができることから、増設規模に応じた大きさの装置機枠のベース枠の組み立て、その分解においても前述したように、工具等を一切使用することなく可能となる。
【００３９】
▲４▼．請求項４によれば、苗箱の幅間隔にて横数列に組み立て配される各桟付枠体の前後の接続部を、前後の接続枠体の各支持脚に係脱可能に夫々差し込み接続せしめて、各桟付枠体を前後の接続枠体間に亘り前後架橋状に夫々連設支持させると言った工具等を一切使用しない組み立て仕法により、装置機枠のベース枠を組み立てることができることから、装置機枠の保管時には前後の接続枠体の各支持脚から支柱枠の前後の柱を引き抜いて該支柱枠をベース枠上から取り外した後に、同じく同接続枠分の各支持脚から各桟付枠体の前後の接続部を引き抜いてその接続状態を解放せしめることで、ベース枠は各桟付枠体と前後の接続枠体とに分解せしめられた分解保管形態となる。つまり、工具等を一切使用することなく組み立て、分解を可能にしたベース枠を支持枠と共に分解せしめた状態で保管場所へと持ち運び、当該保管場所に保管することができることから、前述した▲１▼と同様に持ち運び、保管等の取扱性の向上が期待できる。
【００４０】
▲５▼．請求項５によれば、前述した組み立て仕法にて標準となる大きさに組み立て構設された装置機枠を側方に増設する場合にはベース枠の前後に組み立てられている前後の接続枠体の支持脚に備えられている一方の接続手段に対して発芽装置の増設規模に応じた長さに形成されている増設用の接続枠体に備えれている他方の接続手段を係脱可能に接続せしめると共に、増設せしめた前後の接続枠体の支持脚間に亘り新たに苗箱の幅間隔にて桟付枠体を前後架橋状に連設支持させる組み立て仕法を行うことで、標準の大きさの装置機枠のベース枠を増設規模に応じた大きさにてその側方に組み立てることができる。つまり、発芽装置の増設規模に応じた大きさのベース枠においても分解可能に組み立て構設することができる。
【００４１】
▲６▼．請求項６によれば、前述したベース枠の組み立て増設時には該ベース枠の前後の組み立てられている前後の接続枠体の一側の支持脚に開口されている掛止口に対して発芽装置の増設規模に応じた長さに形成されている増設用の接続枠体に設けた掛止爪を挿入引っ掛けると言った操作により、該増設用の接続枠体を前記前後の接続枠体の一側に係脱可能に接続連設せしめると共に、その接続増設せしめた前後の接続枠体の支持脚に亘り新たに桟付枠体を前後架橋状に接続支持させる組み立て仕法を行うことで、標準となる大きさの装置機枠を増設規模に応じた大きさにてその側方に組み立て増設することができる。つまり、発芽装置の増設規模に応じた大きさのベース枠を分解が可能な状態にて組み立てることができることから、増設規模に応じた大きさの装置機枠のベース枠の組み立て、その分解を前述したように、工具等を一切使用することなく行うことができる。
【００４２】
従って、本発明によれば、発芽室をベース枠上に支持保形する側面略門形の支柱枠のベース枠からの分解は勿論、ベース枠を各桟付枠体と前後の接続枠体とに分解可能とした分解保管形態として、該ベース枠を支持枠と共に分解せしめた状態で保管場所へと持ち運び、該保管場所に保管することができることから、その持ち運びを良好ならせしめると共に、その保管スペースを減少させて保管性の向上が図られる。しかも、工具等を一切使用することなく、その組み立てと分解が可能である等の取扱性が大幅に改善された有益な発芽装置を提供することができる。
【図面の簡単な説明】
【図１】  請求項１乃至３に係る本発明発芽装置の実施の一例を示した正面図
【図２】  一部を切欠して示した同側面図
【図３】  図１の III−III 線横断平面図
【図４】  ベース枠の一部を拡大して示した分解斜視図
【図５】  同要部の拡大斜視図
【図６】  標準となる大きさの装置機枠を増設規模に応じた大きさにてその側方に組み立て増設せしめた状態の一例を示した正面図
【図７】  図６の VII−VII 線拡大横断面図
【図８】  請求項４乃至６に係る本発明発芽装置の実施の一例を示した縦断正面図
【図９】  同縦断側面図
【図１０】  図８のＸ−Ｘ線横断平面図
【図１１】  ベース枠を示した分解斜視図
【図１２】  標準となる大きさの装置機枠を増設規模に応じた大きさにてその側方に組み立て増設せしめた状態の一例を示した正面図
【図１３】  同ベース枠を示した分解斜視図
【図１４】  従来の発芽装置を示した正面図
【図１５】  図14のXV−XV線断面図
【符号の説明】
Ａ，A-1 ，A-20，A-21…装置機枠      １，100 ，20，200 …ベース枠
２…支持枠            2-1 …柱                ３，21…箱載せ桟
1-1 （1-10，1-11），20-1（20-10 ，20-11 ）…桟付枠体
1-2 ，1-20，20-2，20-20 …接続枠体
６…支持脚        11，11-1…挿入部                12…受け部
24…接続部              20…支持脚                32…掛止口
33…掛止爪
【図１】
0003866354.tif 000002
【図２】
0003866354.tif 000003
【図３】
0003866354.tif 000004
【図４】
0003866354.tif 000005
【図５】
0003866354.tif 000006
【図６】
0003866354.tif 000007
【図７】
0003866354.tif 000008
【図８】
0003866354.tif 000009
【図９】
0003866354.tif 000010
【図１０】
0003866354.tif 000011
【図１１】
0003866354.tif 000012
【図１２】
0003866354.tif 000013
【図１３】
0003866354.tif 000014
【図１４】
0003866354.tif 000015
【図１５】
0003866354.tif 000016